(57)【要約】【課題】  通話中の信号断状態が解消したとき、話し手は信号断中に話した内容を再度話す必要が無い。【解決手段】  交換機１は、携帯電話Ａへの下り回線で信号断を検出すると、前記信号断を検出してから第１の時間経過するまでに前記信号断が連続する場合、前記第１の時間内に送信された携帯電話Ｂからの音声を記憶部３００に保存する。そして、交換機１は、前記第１の時間経過後、信号断の解消を検出した時、記憶部３００内に保存された前記音声を携帯電話Ａに送信した後、携帯電話Ａと携帯電話Ｂとの通話を再開させる。携帯電話Ａは、予め定められた周期で受信部１０２を通して交換機１から受信した音声が正常であるか否かのサインを送信部２０２を通して交換機１に送信する。【選択図】      図１
2006157146.tif 000002
【特許請求の範囲】
【請求項１】
交換機は、第１の無線通信端末と第２の無線通信端末が該交換機を介して通話中に前記第１の無線通信端末との間で信号断を検出すると、前記信号断中に送信された前記第２の無線通信端末からの音声を記憶装置に保存し、前記信号断の解消を検出した時、前記記憶装置内に保存された前記音声を前記第１の無線通信端末に送信した後、前記第１の無線通信端末と前記第２の無線通信端末との通話を再開させることを特徴とする無線通信方法。
【請求項２】
交換機は、第１の無線通信端末と第２の無線通信端末が該交換機を介して通話中に前記第１の無線通信端末への下り回線で信号断を検出すると、前記信号断を検出してから第１の時間経過するまでに前記信号断が第１の条件を満たす場合、前記第１の時間内に送信された前記第２の無線通信端末からの音声を記憶装置に保存し、前記第１の時間経過後前記信号断の解消を検出した時、前記記憶装置内に保存された前記音声を前記第１の無線通信端末に送信した後、前記第１の無線通信端末と前記第２の無線通信端末との通話を再開させることを特徴とする無線通信方法。
【請求項３】
前記第１の条件は、前記信号断が連続することであることを特徴とする請求項２記載の無線通信方法。
【請求項４】
前記第１の条件は、前記信号断が定められた回数以上発生することであることを特徴とする請求項２記載の無線通信方法。
【請求項５】
前記第１の無線通信端末は、予め定められた周期で前記下り回線を通して前記交換機から受信した音声が正常であるか否かの情報を前記交換機に送信し、前記交換機は前記情報が予め定められた第２の条件を満たす場合、前記下り回線で前記信号断が発生したと判定することを特徴とする請求項２記載の無線通信方法。
【請求項６】
前記第２の条件は、前記交換機が予め定められた第２の時間経過するまでに前記音声が正常であることを示す前記情報を連続して受信できないことであるを特徴とする請求項５記載の無線通信方法。
【請求項７】
前記第２の条件は、前記交換機が予め定められた第２の時間経過するまでに受信する前記音声が正常であることを示す前記情報の数が一定数以下であることを特徴とする請求項５記載の無線通信方法。
【請求項８】
前記交換機は、前記第１の時間内に前記信号断の解消を検出しなかった時、前記第２の無線通信端末に前記信号断が発生したことを示すアラームを送信することを特徴とする請求項２記載の無線通信方法。
【請求項９】
前記第１の無線通信端末はＣＲＣチェックにより前記交換機から受信した音声が正常であるか否かを判定することを特徴とする請求項５記載の無線通信方法。
【請求項１０】
第１の無線通信端末と第２の無線通信端末が交換機を介して通話を行う無線通信システムであって、該交換機は、前記第１の無線通信端末と前記第２の無線通信端末が前記交換機を介して通話中に前記第１の無線通信端末との間で信号断を検出する信号断検出処理手段と、前記信号断中に送信された前記第２の無線通信端末からの音声を記憶装置に保存する音声蓄積手段と、前記信号断の解消を検出した時前記記憶装置内に保存された前記音声を前記第１の無線通信端末に送信した後、前記第１の無線通信端末と前記第２の無線通信端末との通話を再開させる信号断解消処理手段とを含んで構成されることを特徴とする無線通信システム。
【請求項１１】
第１の無線通信端末と第２の無線通信端末が交換機を介して通話を行う無線通信システムであって、該交換機は、前記第１の無線通信端末と前記第２の無線通信端末が前記交換機を介して通話中に前記第１の無線通信端末への下り回線で信号断を検出すると前記信号断を検出してから第１の時間経過するまでに前記信号断が第１の条件を満たすかどうか判断する信号断検出処理手段と、前記第１の時間内に送信された第２の無線通信端末からの音声を記憶装置に保存する音声蓄積手段と、前記第１の時間経過後前記信号断の解消を検出した時前記記憶装置内に保存された前記音声を前記第１の無線通信端末に送信した後、前記第１の無線通信端末と前記第２の無線通信端末との通話を再開させる信号断解消処理手段とを含んで構成されることを特徴とする無線通信システム。
【請求項１２】
前記第１の条件は、前記信号断が連続することであることを特徴とする請求項１１記載の無線通信システム。
【請求項１３】
前記第１の条件は、前記信号断が定められた回数以上発生することであることを特徴とする請求項１１記載の無線通信システム。
【請求項１４】
前記第１の無線通信端末は、予め定められた周期で前記下り回線を通して前記交換機から受信した音声が正常であるか否かの情報を前記交換機に送信し、前記交換機の前記信号断検出処理手段は前記情報が予め定められた第２の条件を満たす場合、前記下り回線で前記信号断が発生したと判定することを特徴とする請求項１１記載の無線通信システム。
【請求項１５】
前記第２の条件は、前記信号断検出処理手段が予め定められた第２の時間経過するまでに前記音声が正常であることを示す前記情報を連続して受信できないことであるを特徴とする請求項１４記載の無線通信システム。
【請求項１６】
前記第２の条件は、前記信号断検出処理手段が予め定められた第２の時間経過するまでに受信する前記音声が正常であることを示す前記情報の数が一定数以下であることを特徴とする請求項１４記載の無線通信システム。
【請求項１７】
前記信号断検出処理手段は、前記第１の時間内に前記信号断の解消を検出しなかった時、前記第２の無線通信端末に前記信号断が発生したことを示すアラームを送信することを特徴とする請求項１１記載の無線通信システム。
【請求項１８】
前記第１の無線通信端末はＣＲＣチェックにより前記交換機から受信した音声が正常であるか否かを判定することを特徴とする請求項１４記載の無線通信システム。
【請求項１９】
第１の無線通信端末と第２の無線通信端末が交換機を介して通話中に前記第１の無線通信端末との間で信号断を検出する信号断検出処理手段と、前記信号断中に送信された前記第２の無線通信端末からの音声を記憶装置に保存する音声蓄積手段と、前記信号断の解消を検出した時前記記憶装置内に保存された前記音声を前記第１の無線通信端末に送信した後、前記第１の無線通信端末と前記第２の無線通信端末との通話を再開させる信号断解消処理手段とを含んで構成されることを特徴とする交換機。
【請求項２０】
第１の無線通信端末と第２の無線通信端末が交換機を介して通話中に前記第１の無線通信端末への下り回線で信号断を検出すると前記信号断を検出してから第１の時間経過するまでに前記信号断が第１の条件を満たすかどうか判断する信号断検出処理手段と、前記第１の時間内に送信された前記第２の無線通信端末からの音声を記憶装置に保存する音声蓄積手段と、前記第１の時間経過後前記信号断の解消を検出した時前記記憶装置内に保存された前記音声を前記第１の無線通信端末に送信した後、前記第１の無線通信端末と前記第２の無線通信端末との通話を再開させる信号断解消処理手段とを含んで構成されることを特徴とする交換機。
【請求項２１】
前記第１の条件は、前記信号断が連続することであることを特徴とする請求項２０記載の交換機。
【請求項２２】
前記第１の条件は、前記信号断が定められた回数以上発生することであることを特徴とする請求項２０記載の交換機。
【請求項２３】
前記信号断検出処理手段は、予め定められた周期で前記第１の無線通信端末から送られる前記交換機が送信した音声が正常であるか否かの情報が予め定められた第２の条件を満たす場合、前記下り回線で前記信号断が発生したと判定することを特徴とする請求項２０記載の交換機。
【請求項２４】
前記第２の条件は、前記信号断検出処理手段が予め定められた第２の時間経過するまでに前記音声が正常であることを示す前記情報を連続して受信できないことであるを特徴とする請求項２３記載の交換機。
【請求項２５】
前記第２の条件は、前記信号断検出処理手段が予め定められた第２の時間経過するまでに受信する前記音声が正常であることを示す前記情報の数が一定数以下であることを特徴とする請求項２３記載の交換機。
【請求項２６】
予め定められた周期で下り回線を通して交換機から受信した音声が正常であるか否かの情報を前記交換機に送信する無線通信端末。
【請求項２７】
ＣＲＣチェックにより前記交換機から受信した音声が正常であるか否かを判定することを特徴とする請求項２６記載の無線通信端末。
【発明の詳細な説明】
【技術分野】
【０００１】
本発明は無線通信方法、無線通信システム、交換機及び移動端末に関し、特に、通話中の無線環境の一時的な劣化などにより信号断状態になった場合、それに気づかずに話し続けてしまう話し手側の音声を交換機で保留し、信号断解消時に、その保留音声を聞き手側に送信することを可能にする無線通信方法、無線通信システム、交換機及び移動端末に関する。
【背景技術】
【０００２】
従来、携帯電話機などの無線通信端末においては、ビルの陰などの電波が届きにくい場所に移動した場合や、トンネル等に入った場合、通話がとぎれ、信号断状態になることがよくある。この信号断状態が短ければ、会話は、さほど影響を受けずそのまま続けられるが、信号断状態が長ければ、場合によってはユーザがあきらめて、切断してしまうこともある。
【０００３】
この信号断状態の長期化を防ぐ方法として、例えば、チャネル切り替え手法がある（例えば、特許文献１を参照。）。
【０００４】
この公報では信号断状態の長期化を防ぐため、以下の対策を行っている。まず、携帯電話機において信号断状態を検出すると、信号断状態であることを携帯電話網に通知する。その通知を受けた携帯電話網は、切り替え先無線チャネル指定を携帯電話機に通知する。携帯電話網から切り替え先無線チャネル指定を受信した携帯電話機は、通信チャネルの切り替えを行う。携帯電話網は、この通信チャネルの切り替えにより、長時間にわたる信号断状態の継続を防止することが出来る。
【０００５】
一方、片方の携帯電話への回線で信号断状態が発生した場合、相手側の携帯電話では、話し手側が相手の信号断発生に気づかずに話し続けてしまうことがある。
【０００６】
【特許文献１】特開２００１−３２０７５０号公報
【発明の開示】
【発明が解決しようとする課題】
【０００７】
上述した従来方法では、信号断状態を解消したとき、正常回線側の話し手はどこから信号断になっていたかを相手側に確認し、信号断中に話した内容を再度話す必要があるという問題がある。
【０００８】
その理由は、片方の携帯電話への回線で信号断状態が発生した場合、相手側の携帯電話では、話し手側が相手の信号断発生に気づかずに話し続けてしまうからである。
【０００９】
本発明の目的は、上述した従来の課題である「信号断状態を解消したとき、正常回線側の話し手はどこから信号断になっていたかを相手側に確認し、信号断中に話した内容を再度話す必要があるという問題」を解決する無線通信方法、無線通信システム、交換機及び無線通信端末を提供することにある。
【課題を解決するための手段】
【００１０】
本発明の無線通信方法は、交換機は、第１の無線通信端末と第２の無線通信端末が該交換機を介して通話中に前記第１の無線通信端末との間で信号断を検出すると、前記信号断中に送信された前記第２の無線通信端末からの音声を記憶装置に保存し、前記信号断の解消を検出した時、前記記憶装置内に保存された前記音声を前記第１の無線通信端末に送信した後、前記第１の無線通信端末と前記第２の無線通信端末との通話を再開させることを特徴とする。
【００１１】
本発明の他の無線通信方法は、交換機は、第１の無線通信端末と第２の無線通信端末が該交換機を介して通話中に前記第１の無線通信端末への下り回線で信号断を検出すると、前記信号断を検出してから第１の時間経過するまでに前記信号断が第１の条件を満たす場合、前記第１の時間内に送信された前記第２の無線通信端末からの音声を記憶装置に保存し、前記第１の時間経過後前記信号断の解消を検出した時、前記記憶装置内に保存された前記音声を前記第１の無線通信端末に送信した後、前記第１の無線通信端末と前記第２の無線通信端末との通話を再開させることを特徴とする。
【００１２】
また、前記第１の条件は、前記信号断が連続することであることを特徴とする。
【００１３】
また、前記第１の条件は、前記信号断が定められた回数以上発生することであることを特徴とする。
【００１４】
また、前記第１の無線通信端末は、予め定められた周期で前記下り回線を通して前記交換機から受信した音声が正常であるか否かの情報を前記交換機に送信し、前記交換機は前記情報が予め定められた第２の条件を満たす場合、前記下り回線で前記信号断が発生したと判定することを特徴とする。
【００１５】
また、前記第２の条件は、前記交換機が予め定められた第２の時間経過するまでに前記音声が正常であることを示す前記情報を連続して受信できないことであるを特徴とする。
【００１６】
また、前記第２の条件は、前記交換機が予め定められた第２の時間経過するまでに受信する前記音声が正常であることを示す前記情報の数が一定数以下であることを特徴とする。
【００１７】
また、前記交換機は、前記第１の時間内に前記信号断の解消を検出しなかった時、前記第２の無線通信端末に前記信号断が発生したことを示すアラームを送信することを特徴とする。
【００１８】
また、前記第１の無線通信端末はＣＲＣチェックにより前記交換機から受信した音声が正常であるか否かを判定することを特徴とする。
【００１９】
本発明の無線通信システムは、第１の無線通信端末と第２の無線通信端末が交換機を介して通話を行う無線通信システムであって、該交換機は、前記第１の無線通信端末と前記第２の無線通信端末が前記交換機を介して通話中に前記第１の無線通信端末との間で信号断を検出する信号断検出処理手段と、前記信号断中に送信された前記第２の無線通信端末からの音声を記憶装置に保存する音声蓄積手段と、前記信号断の解消を検出した時前記記憶装置内に保存された前記音声を前記第１の無線通信端末に送信した後、前記第１の無線通信端末と前記第２の無線通信端末との通話を再開させる信号断解消処理手段とを含んで構成されることを特徴とする。
【００２０】
本発明の他の無線通信システムは、第１の無線通信端末と第２の無線通信端末が交換機を介して通話を行う無線通信システムであって、該交換機は、前記第１の無線通信端末と前記第２の無線通信端末が前記交換機を介して通話中に前記第１の無線通信端末への下り回線で信号断を検出すると前記信号断を検出してから第１の時間経過するまでに前記信号断が第１の条件を満たすかどうか判断する信号断検出処理手段と、前記第１の時間内に送信された第２の無線通信端末からの音声を記憶装置に保存する音声蓄積手段と、前記第１の時間経過後前記信号断の解消を検出した時前記記憶装置内に保存された前記音声を前記第１の無線通信端末に送信した後、前記第１の無線通信端末と前記第２の無線通信端末との通話を再開させる信号断解消処理手段とを含んで構成されることを特徴とする。
【００２１】
また、前記第１の条件は、前記信号断が連続することであることを特徴とする。
【００２２】
また、前記第１の条件は、前記信号断が定められた回数以上発生することであることを特徴とする。
【００２３】
また、前記第１の無線通信端末は、予め定められた周期で前記下り回線を通して前記交換機から受信した音声が正常であるか否かの情報を前記交換機に送信し、前記交換機の前記信号断検出処理手段は前記情報が予め定められた第２の条件を満たす場合、前記下り回線で前記信号断が発生したと判定することを特徴とする。
【００２４】
また、前記第２の条件は、前記信号断検出処理手段が予め定められた第２の時間経過するまでに前記音声が正常であることを示す前記情報を連続して受信できないことであるを特徴とする。
【００２５】
また、前記第２の条件は、前記信号断検出処理手段が予め定められた第２の時間経過するまでに受信する前記音声が正常であることを示す前記情報の数が一定数以下であることを特徴とする。
【００２６】
また、前記信号断検出処理手段は、前記第１の時間内に前記信号断の解消を検出しなかった時、前記第２の無線通信端末に前記信号断が発生したことを示すアラームを送信することを特徴とする。
【００２７】
また、前記第１の無線通信端末はＣＲＣチェックにより前記交換機から受信した音声が正常であるか否かを判定することを特徴とする。
【００２８】
本発明の交換機は、第１の無線通信端末と第２の無線通信端末が該交換機を介して通話中に前記第１の無線通信端末との間で信号断を検出する信号断検出処理手段と、前記信号断中に送信された前記第２の無線通信端末からの音声を記憶装置に保存する音声蓄積手段と、前記信号断の解消を検出した時前記記憶装置内に保存された前記音声を前記第１の無線通信端末に送信した後、前記第１の無線通信端末と前記第２の無線通信端末との通話を再開させる信号断解消処理手段とを含んで構成されることを特徴とする。
【００２９】
本発明の他の交換機は、第１の無線通信端末と第２の無線通信端末が該交換機を介して通話中に前記第１の無線通信端末への下り回線で信号断を検出すると前記信号断を検出してから第１の時間経過するまでに前記信号断が第１の条件を満たすかどうか判断する信号断検出処理手段と、前記第１の時間内に送信された前記第２の無線通信端末からの音声を記憶装置に保存する音声蓄積手段と、前記第１の時間経過後前記信号断の解消を検出した時前記記憶装置内に保存された前記音声を前記第１の無線通信端末に送信した後、前記第１の無線通信端末と前記第２の無線通信端末との通話を再開させる信号断解消処理手段とを含んで構成されることを特徴とする。
【００３０】
また、前記第１の条件は、前記信号断が連続することであることを特徴とする。
【００３１】
また、前記第１の条件は、前記信号断が定められた回数以上発生することであることを特徴とする。
【００３２】
また、前記信号断検出処理手段は、予め定められた周期で前記第１の無線通信端末から送られる前記交換機が送信した音声が正常であるか否かの情報が予め定められた第２の条件を満たす場合、前記下り回線で前記信号断が発生したと判定することを特徴とする。
【００３３】
また、前記第２の条件は、前記信号断検出処理手段が予め定められた第２の時間経過するまでに前記音声が正常であることを示す前記情報を連続して受信できないことであるを特徴とする。
【００３４】
また、前記第２の条件は、前記信号断検出処理手段が予め定められた第２の時間経過するまでに受信する前記音声が正常であることを示す前記情報の数が一定数以下であることを特徴とする。
【００３５】
本発明の無線通信端末は、予め定められた周期で下り回線を通して交換機から受信した音声が正常であるか否かの情報を前記交換機に送信することを特徴とする。
【００３６】
また、前記無線通信端末は、ＣＲＣチェックにより前記交換機から受信した音声が正常であるか否かを判定することを特徴とする。
【発明の効果】
【００３７】
本発明により、通話中の信号断状態が解消したとき、正常回線側の話し手はどこから信号断になっていたかを相手側に確認したり、信号断中に話した内容を再度話す必要が無いという効果がある。
【００３８】
その理由は、通話中に信号断状態になった場合、それに気づかずに話し続けてしまう話し手側の音声を保留し、信号断解消時に、その保留音声を信号断解消側に送信するようにしたからである。
【発明を実施するための最良の形態】
【００３９】
次に、本発明を実施するための最良の形態について図面を参照して詳細に説明する。
【００４０】
図１は、本発明の一実施の形態を示すシステム構成図である。
【００４１】
図１を参照すると、本発明は、交換機１、携帯電話Ａ、携帯電話Ｂから構成されている。
【００４２】
交換機１は、送信部２００、２０１、受信部１００、１０１、記憶部３００、３０１、６００、セレクタ４００、４０１、及び制御部５００を含んで構成される。
【００４３】
送信部２００、受信部１００はそれぞれ携帯電話Ｂに対するＲＦ送信部、ＲＦ受信部である。同様に、送信部２０１、受信部１０１はそれぞれ携帯電話Ａに対するＲＦ送信部、ＲＦ受信部である。記憶部３００は、携帯電話Ｂからの音声を一時的に記憶する記憶部である。また、記憶部３０１は、携帯電話Ａからの音声を一時的に記憶する記憶部である。（記憶部の構成は、古いデータが新しいデータに上書きされるリングバッファ的な構造が適している。）また、記憶部６００は信号断発生時のアラーム音などの固定データの記憶部である。
【００４４】
さらに、セレクタ４００は、送信する音声を、受信部１００からのリアルタイムの音声、記憶部３００に保存されている音声、記憶部６００に保存されている音声のどれにするかを選択する。同様に、セレクタ４０１は、送信する音声を、受信部１０１からのリアルタイムの音声、記憶部３０１に保存されている音声、記憶部６００に保存されている音声のどれにするかを選択する。最後の制御部５００は、信号断判定や、信号断発生時の音声記憶、、セレクタ４００などの制御を行う。
【００４５】
次に、携帯電話Ａは、受信部１０２、ＣＲＣ演算部７００，送信部２０２を含んで構成される。尚、携帯電話Ｂについても、構成要素は同じである。
【００４６】
受信部１０２、送信部２０２は、各々交換機１に対するＲＦ受信部、ＲＦ送信部である。ＣＲＣ演算機７００は、交換機１からの受信音声符号化データ（例えば、ＡＭＲ）のＣＲＣ誤り検出を行う演算機である。
【００４７】
次に、図２は、図１における制御部５００のブロック図である。
【００４８】
図２を参照すると、本発明の制御部５００は、音声蓄積手段５０１、信号断検出処理手段５０２、信号断解消検出処理手段５０３を含んで構成される。
【００４９】
音声蓄積手段５０１は、信号断検出処理手段５０２からの停止指示がない限り、携帯電話Ａ（またはＢ）からの音声を記憶部３０１（３００）に記憶させる。記憶部３０１（３００）は、古いデータが新しいデータに上書きされるリングバッファ的な構造となっており、現在から一定時間だけ過去の音声が蓄積される。
【００５０】
信号断検出処理手段５０２は、予め定められたアルゴリズムを用いて、下り回線の信号断発生を検出する。そして、信号断検出処理手段５０２は、信号断が一定時間以上続いた場合は、正常回線側に相手が信号断状態になったことを示す信号断アラームを送信する。本アルゴリズムについては、動作フロー（図３）の説明で詳述する。そして、信号断検出処理手段５０２は、正常回線側に該アラームを送信すると、音声蓄積手段５０１に対し音声蓄積の停止指示を出力し、信号断解消検出処理手段５０３を起動する。
【００５１】
信号断解消検出処理手段５０３は、予め定められたアルゴリズムを用いて、信号断発生の下り回線の信号断解消を検出する。本アルゴリズムについても、動作フロー説明で詳述する。そして、信号断解消検出処理手段５０３は、下り回線の信号断解消を検出すると、信号断解消の回線側に、所定のアラームを送信した後、記憶部（３０１／３００）に蓄積されていた音声を送信する。そして、信号断解消検出処理手段５０３は、記憶部の音声を送信後、正常回線側、および信号断解消回線側それぞれに、通常の通話に戻れることを示すアラームを送信した後、通常の通話状態に戻す。尚、アラームは、記憶部６００に記憶されている情報を使用する。
【００５２】
次に、本発明を実施するための最良の形態の動作について図面を参照して説明する。
【００５３】
図３は、本発明の一実施の形態を示す交換機１における制御部５００の動作フロー図である。ここで、Ｓ１〜Ｓ５は、信号断検出処理手段５０２の動作であり、Ｓ６〜Ｓ１１は、信号断解消検出処理手段５０３の動作である。また、以降のフロー説明において、携帯電話Ａと携帯電話Ｂを入れ替えてもかまわない。
（Ｓ０）通常の通話中の動作である。制御部５００は、受信部１００，１０１から届く携帯電話Ａ、Ｂの音声を受信し、セレクタ４００，４０１を通し、送信部２００，２０１へリアルタイムに送信する。それと同時に、制御部５００は、音声蓄積手段５０１により記憶部３００、３０１に音声データを記憶する。
（Ｓ１）携帯電話Ａで信号断が発生したかどうかをチェックする。信号断が発生していなければ、Ｓ０に戻り、信号断が発生していれば、信号断が発生した時間をメモリに記憶し、Ｓ２に移行する。尚、携帯電話Ｂで信号断が発生したも、同様である。
【００５４】
・ここで、信号断の検出方法について説明する。
【００５５】
まず、携帯電話Ａ、Ｂは、演算機７００により受信部１０２で受信した下り音声データのＣＲＣチェックを実施する。そして、携帯電話Ａ、ＢはＣＲＣチェックがＯＫだった場合、ＡＣＫを送信部２０２を通して、交換機１側へ定期的に送信する。
【００５６】
ＡＣＫフレームを送信する周期は、最短で音声Ｆｒａｍｅの長さ＝２０ｍｓであるが、周期が短すぎると上りデータの通信量が不要に増え、逆に長すぎると網側で信号断発生を検出するのが遅くなるので、例えば２０ｍｓの倍数の４０ｍｓ程度が好ましい。
【００５７】
※  ＡＣＫフレームのフォーマットとしては、例えば、ＣＲＣ＿ＯＫ：データに１を設定、ＣＲＣ＿ＮＧ：ＡＣＫ自体送信しないとする形態が考えられる。
【００５８】
信号断検出処理手段５０２は、上記ＡＣＫを上記周期（例えば上記４０ｍｓごと）で確認し、一定時間（例えば１００ｍｓ）連続してＡＣＫが受信できなかった場合、下り信号断発生と判断する。尚、信号断検出処理手段５０２は、一定時間内に１つもＡＣＫが受信できなかった場合、下り信号断発生と判断しても良い。信号断検出処理手段５０２が、どちらの方法を選択するかは、システムの信号断検出感度によるものであり、運用時に選択すべき問題である。
（Ｓ２）信号断検出処理手段５０２は、携帯電話Ａで信号断が解消したかどうかチェックする。信号断検出処理手段５０２は、携帯電話Ａで信号断が解消した場合、Ｓ３に移行し、携帯電話Ａで信号断が解消しなければ、Ｓ４に移行する。
【００５９】
・信号断検出処理手段５０２は、下り回線で信号断発生と判断後も、上記周期でＡＣＫの検出を続ける。そして、信号断検出処理手段５０２は、一定時間（例えば１００ｍｓ）連続してＡＣＫが受信できた場合、下り回線で信号断が解消されたと判断する。この場合も、信号断検出処理手段５０２は、一定時間内に１つでもＡＣＫが受信できた場合、下り信号断解消と判断しても良い。信号断検出処理手段５０２がどちらを選択するかは、やはり、システムの信号断検出感度によるものであり、運用時に選択すべき問題である。
（Ｓ３）信号断検出処理手段５０２は、携帯電話Ａで信号断が解消を検出した場合、再び通常の通話中の動作に移行する。
（Ｓ４）信号断検出処理手段５０２は、携帯電話Ａの信号断が一定時間（例えば５秒）以上続いたかどうかチェックする。信号断検出処理手段５０２は、信号断が一定時間以上続いた場合は、Ｓ５に移行し、信号断が一定時間以内の場合は、Ｓ２に戻る。
【００６０】
尚、信号断検出処理手段５０２が、信号断を検出しても携帯電話Ａへの音声データの送信は通常通り行う。
【００６１】
また、現状の携帯電話網においては、電波の受信レベル低下（予め定めた閾値以下）が一定時間続けば、網側あるいは端末側から呼を切断するようにしている。そして、この一定時間は、網側から任意に変更することが出来る。従って、本発明を適用する場合は、網側からこの時間を適当に選択設定する必要がある。
（Ｓ５）信号断検出処理手段５０２は、携帯電話Ｂに、相手が信号断になったことを示す信号断アラームを送信する。
【００６２】
・一定時間以上信号断状態が続いた場合、信号断検出処理手段５０２はセレクタ４０１を制御し、携帯電話Ｂに対し、記憶部６００に記憶されている音声を送信する。この場合、信号断検出処理手段５０２は音声として、記憶部６００の「通話相手が信号断状態になったことを通知する固定音声（アラーム音など）」を用いる。この時点で携帯電話Ｂの話者は会話をやめる。
（Ｓ６）次に、信号断解消検出処理手段５０３は、携帯電話Ａの信号断が解消したかどうかの確認を続け、信号断が解消した場合にＳ７に移行する。
【００６３】
・信号断解消検出処理手段５０３による信号断解消の検出方法は、Ｓ２と同様である。
（Ｓ７）信号断解消検出処理手段５０３は、携帯電話Ａに、信号断中の携帯電話Ｂの音声を送信する旨を通知する。
【００６４】
・信号断が解消した場合、信号断解消検出処理手段５０３はセレクタ４００を制御し、携帯電話Ａに対し、記憶部６００に記憶されている音声を送信する。この場合、信号断解消検出処理手段５０３は音声として、記憶部６００の「信号断中の音声データの送信を開始することをあらわす固定音声（アラーム音など）」を用いる。
（Ｓ８）信号断解消検出処理手段５０３は、携帯電話Ａに、信号断中の携帯電話Ｂの音声を送信する。
【００６５】
・信号断解消検出処理手段５０３は、Ｓ１の信号断を検出してから、Ｓ５の携帯電話Ｂへの信号断アラーム送信までの音声データを記憶部３００から読みだし、セレクタ４００を介して送信部２０１へ出力する。送信部２０１は、このデータを携帯電話Ａへ送信する。
【００６６】
・この際、信号断解消検出処理手段５０３は、「携帯電話Ｂの話者の無会話部分」の削除や、音声の２倍速再生等を実施し、送信にかかる時間を短縮してもよい。
（Ｓ９）信号断解消検出処理手段５０３は、携帯電話Ｂに、携帯電話Ａの信号断が解消したことを通知する。
【００６７】
・Ｓ８の送信が完了するタイミングで信号断解消検出処理手段５０３はセレクタ４０１を制御し、携帯電話Ｂに対し、記憶部６００に記憶されている「通話相手の信号断が解消したことを通知する固定音声（アラーム音など）」を送信する。
（Ｓ１０）Ｓ９に続いて、信号断解消検出処理手段５０３は、携帯電話Ａに、信号断中の携帯電話Ｂの音声の送信完了を通知する。
【００６８】
・信号断解消検出処理手段５０３はセレクタ４００を制御し、携帯電話Ａに対し、記憶部６００に記憶されている音声を送信する。この場合、信号断解消検出処理手段５０３は音声として、記憶部６００の「信号断中の音声データの送信が完了したことをあらわす固定音声（アラーム音など）」を送信する。
（Ｓ１１）信号断解消検出処理手段５０３は、Ｓ０（通常の通話中の動作）に戻す。
【００６９】
・Ｓ９，Ｓ１０の完了後、信号断解消検出処理手段５０３は、セレクタ４００、４０１を制御し、受信部１００，１０１からのリアルタイム音声が携帯電話Ａ→Ｂ、携帯電話Ｂ→Ａへそれぞれ送信されるようにする。（この時点で携帯電話Ａ−Ｂ間の通話が再開される。）
次に、図４は、本発明の一実施の形態を示す携帯電話Ａの動作フロー図である。この動作フローは、携帯電話Ｂにおいても同様である。
【００７０】
（ＳＡ１）携帯電話Ａは、ＣＲＣ演算機７００により受信部１０２から受信される音声データのＣＲＣチェックを行う。
【００７１】
（ＳＡ２）携帯電話Ａは、ＣＲＣチェックがＡＣＫの送信周期（例えば、４０ｍｓ）かどうか判断する。携帯電話Ａは、ＡＣＫの送信周期であればＳＡ３を実行し、ＡＣＫの送信周期でなければＳＡ１に戻る。
【００７２】
（ＳＡ３）携帯電話Ａは、ＡＣＫを送出すべきかどうかを判断する。例えば、携帯電話Ａは、ＡＣＫの送信周期の間のＣＲＣチェックがすべてＯＫの場合はＡＣＫを送出し、ＣＲＣチェックがＮＧの音声データがあれば、ＡＣＫを返さない。そして、携帯電話Ａは、ＡＣＫを送出する場合は、ＳＡ４に飛び、ＡＣＫを返さない場合は、ＳＡ１に戻る。
【００７３】
（ＳＡ４）携帯電話Ａは、送信部２０２により、送信音声フレーム間にＡＣＫフレームを挿入して交換機１に送信する。
【００７４】
最後に、図５は、本発明の一実施の形態を示す動作説明図である。
【００７５】
（Ｓ５−１）今、携帯電話Ｂから携帯電話Ａに対し、「あ、い、う、え、お」と送信しようとし、「い」の後、携帯電話Ａへの下り回線で信号断が発生したとする。
【００７６】
（Ｓ５−２）交換機１は、一定時間信号断を確認する。携帯電話Ｂの話者は、この間信号断発生に気づかず、「う、え、お」と話してしまうとする。交換機１は、信号断時の携帯電話Ｂからの入力「う、え、お」を、記憶装置に保存する。
【００７７】
（Ｓ５−３）交換機１は信号断を一定時間確認すると、携帯電話Ｂに対し、信号断アラームを送信する。携帯電話Ｂの話者は、この信号断アラームに気づき、会話を中止する。
【００７８】
（Ｓ５−４）交換機１は信号断解消の検出を続け、ある時点で信号断の解消を確認したとする。
【００７９】
（Ｓ５−５）交換機１は携帯電話Ａに対し、信号断中の音声送付開始通知のためのアラームを送信する。
【００８０】
（Ｓ５−６）交換機１は音声送付開始通知アラームの送信後、携帯電話Ａに対し、記憶装置に保存してある音声「う、え、お」を送信する。
【００８１】
（Ｓ５−７）交換機１は携帯電話Ａに対し、信号断中の音声送付完了通知のためのアラームを送信し、携帯電話Ｂに対しては、相手信号断解消通知のためのアラームを送信する。
【００８２】
（Ｓ５−８）交換機１は、通常の通話状態を再開する。
【００８３】
以上説明したように、本発明により、以下の効果が考えられる。
【００８４】
（１）通話中の信号断状態が解消したとき、正常回線側の話し手は信号断中に話した内容を再度話す必要が無いという効果がある。
【００８５】
その理由は、通話中に信号断状態になった場合、それに気づかずに話し続けてしまう正常回線側の音声を保留し、信号断解消時に、その保留音声を信号断解消の回線側に送信するようにしたからである。
【００８６】
（２）また、一方の携帯電話で信号断が発生した場合、正常回線側の話し手がそれに気づかずに話し続けてしまうことがなくなる。
【００８７】
なぜなら、交換機は通話相手が信号断状態になったことを通知する固定音声（アラーム音など）」を正常回線側に送信するからである。
【００８８】
（３）信号断がいつ解消するかわからないので、お互いに絶えず音声を発し信号断解消を確認しあう必要がなくなる。
【００８９】
なぜなら、交換機は正常回線側の話し手側に信号断が解消したことを通知するとともに、信号断解消側へも信号断中の音声データの送信が完了したことを示すアラーム音等で通知するからである。
【００９０】
また、上記実施の形態において、以下のバリエーションが考えられる。
【００９１】
１．装置の構成は図１の通りでなくても構わない。例えば、セレクタ４００と４０１が１つであってもよいし、セレクタ４００と記憶部３００が同じであっても良い。
【００９２】
２．上記実施の形態においては、端末が網側へＣＲＣチェックＯＫの時だけ、データ（ＡＣＫ）を送信するとした。（「実施例の動作の説明」のＳ１参照。）しかし、端末はＣＲＣチェックがＮＧだった場合でも、ＣＲＣチェックＮＧとして網側へ送信してもよい。
【００９３】
また、端末は、前回ＡＣＫ送信時から今回ＡＣＫを送信するまでの間に、１つでもＣＲＣがＯＫであれば、「ＣＲＣ＿ＯＫ：１」を通知するようにしても良い。あるいは、全てのＣＲＣがＯＫの時のみ、「ＣＲＣ＿ＯＫ：１」を通知するようにしても良い。端末がどちらを選択するかは、システムの信号断検出感度によるものであり、運用時に選択すべき問題である。
【００９４】
３．上記実施の形態においては、交換機は、ＡＣＫを一定周期（例えば上記４０ｍｓごと）で確認し、一定時間（例えば１００ｍｓ）連続してＡＣＫが受信できなかった場合、下り信号断発生と判断していた。（「実施例の動作の説明」のＳ１での信号断の判定方法を参照。）しかし、この判断方法は、さらに別の方法であってもかまわない。例えば、交換機は、「単位時間当たり（例えば１ｓ）に受信したＡＣＫの数が一定数以下だった場合に下り信号断発生と判断」としてもよい。
【００９５】
４．また、上記実施の形態においては、交換機は、信号断が一定時間（例えば５秒）以上続いた場合に、携帯電話Ｂに、相手が信号断になったことを示す信号断アラームを送信していた。（「実施例の動作の説明」のＳ４、Ｓ５を参照。）しかし、このアラームの送信は、別の判定結果であってもかまわない。例えば、「交換機は、単位時間（例えば５秒）当たりに、信号断と判定した回数が一定回数以下の場合、何もしない。交換機は、単位時間当たりに信号断と判定した回数が一定回数以上の場合、携帯電話Ｂに対しアラームを通知する」としてもよい。この場合、一定回数の選択によって、信号断判定感度が変化することになる。この一定回数を大きく取れば、信号断と判定されにくいため、断続的に短い信号断が発生したときなど、断続的に音切れが発生する。そして、断続的に音切れが発生する結果、結局相手が何を言っているのか判らない状態が生じうる。
【００９６】
５．また、上記実施の形態では、使用者に対するアラーム（通知）は、音としてＮＷ→携帯電話に通知していた（「実施例の動作の説明」のＳ５、Ｓ７を参照。）。しかし、このアラームは、、音以外であってもよい。例えば、交換機から携帯電話に音の代わりにアラームを表す制御情報（制御コマンド）を通知し、携帯電話側でこれを受信した際にアラーム表示を行ったりしてもよい。
【００９７】
６．また、上記実施の形態では、信号断検出にＣＲＣチェックを用いていた（「実施例の動作の説明」のＳ１を参照。）。しかし、信号断検出に、別の方法例えば、電波の受信レベルを用いても良い。この場合、電波の受信レベルが予め定められた閾値以下の状態が、上記実施の形態におけるＣＲＣチェック異常と読み替えればよい。
【図面の簡単な説明】
【００９８】
【図１】本発明の一実施の形態を示すシステム構成図である。
【図２】図１における制御部５００のブロック図である。
【図３】本発明の一実施の形態を示す交換機１における制御部５００の動作フロー図である。
【図４】本発明の一実施の形態を示す携帯電話Ａの動作フロー図である。
【図５】本発明の一実施の形態を示す動作説明図である。
【符号の説明】
【００９９】
１    交換機
Ａ    携帯電話
Ｂ    携帯電話
１００    受信部
１０１    受信部
１０２    受信部
２００    送信部
２０１    送信部
２０２    送信部
３００    記憶部
３０１    記憶部
４００    セレクタ
４０１    セレクタ
５００    制御部
５０１    音声蓄積手段
５０２    信号断検出処理手段
５０３    信号断解消検出処理手段
６００    記憶部
７００    ＣＲＣ演算機
【図１】
2006157146.tif 000003
【図２】
2006157146.tif 000004
【図３】
2006157146.tif 000005
【図４】
2006157146.tif 000006
【図５】
2006157146.tif 000007